(57)【要約】【課題】多数の光ディスクにデータを無停止で記録再生し長期間保存するための大容量、高信頼の光ディスクライブラリー装置のファン冷却構造を提供する。【解決手段】カートリッジに立位に収納された光ディスクと、光ディスクの記録再生のドライブに光ディスクを立位で運搬する光ディスク運搬機構と、冷却室ダクトに立位に収納されたドライブと制御回路部と、床下の吸入ダクトから外気を吸入しドライブと制御回路部を冷却し排気するファンとを備え、装置内温度を検出し高温域は全てのファンを１００％の回転速度で運転し、中温域は全てのファンを５０％の回転速度で運転し、常温域はファンを５０％の回転速度で運転し、回転ファンと停止ファンを一定時間ごとに交替運転する。【選択図】図１
2013114717.tif 000002
【特許請求の範囲】
【請求項１】
装置筺体内の光ディスク収納部に収納された複数の光ディスクと、前記光ディスクに情報を読み書きする記録再生装置と、前記光ディスクを前記光ディスク収納部から前記記録再生装置に搬送し、前記記録再生装置から前記光ディスク収納部に戻すディスク搬送機構と、前記光ディスクに書き込む情報と制御信号を外部から受信し前記記録再生装置と前記ディスク搬送機構を制御し、前記光ディスクから読み取った情報を外部に送信するための制御回路基板と、前記装置筺体内を冷却する冷却ファンからなる光ディスクライブラリー装置において、
前記記録再生装置と前記制御回路基板は隔壁により前記光ディスク収納部と前記ディスク搬送機構と分離され密閉された冷却ダクト内に設置され、前記冷却ダクトの前記隔壁から前記記録再生装置の前記光ディスクの出入口部分が前記光ディスク収納部に吐出するように前記記録再生装置を設け、前記冷却ダクトに設けた外気吸入口と冷却ファンにより外気吸気口から外気を吸入し前記記録再生装置と前記制御回路基板を冷却したのち外部に排出することを特徴とする光ディスクライブラリー装置。
【請求項２】
請求項１記載の光ディスクライブラリー装置において、
前記光ディスクと前記冷却ダクト内の前記記録再生装置と前記制御回路基板を立位に配置すると共に、前記制御回路基板と前記冷却ファンの回転面を対向して配置し、前記外気吸入口より吸入した外気を前記記録再生装置と前記制御回路基板で立位方向に流し、前記記録再生装置と前記制御回路基板を通過した空気を冷却ファンにより水平方向に吸引し外部に排出する構成としたことを特徴とする光ディスクライブラリー装置。
【請求項３】
請求項１又は２のいずれかに記載の光ディスクライブラリー装置において、
前記冷却ファンを複数設け、前記冷却ファンを一定時間ごとに順番に切替えて回転させるようにしたことを特徴とする光ディスクライブラリー装置。
【請求項４】
請求項３記載の光ディスクライブラリー装置において、
前記冷却ファンの回転を検出し回転していない故障したファンがある場合は前記故障したファンを除いた前記冷却ファンを一定時間ごとに順番に切替えて回転させるようにしたことを特徴とする光ディスクライブラリー装置。
【請求項５】
請求項３又は４のいずれかに記載の光ディスクライブラリー装置において、
前記装置筺体内の温度を検出し、前記冷却ファンの回転させる台数と回転速度を前記装置筺体内の温度が高くなるにつれて増加するように制御することを特徴とする光ディスクライブラリー装置。
【請求項６】
請求項３乃至５のいずれかに記載の光ディスクライブラリー装置において、
常時複数の前記冷却ファンを回転させると共に、一定時間ごとに切替える前記冷却ファンの数を１台にすることを特徴とする光ディスクライブラリー装置。
【請求項７】
請求項３乃至６のいずれかに記載の光ディスクライブラリー装置において、
前記冷却ファン切替え時に、前記冷却ファンの停止する冷却ファンの停止動作と起動するファンの起動動作を同時に開始すると共に、前記冷却ファンの停止する冷却ファンの回転速度の減少率と、起動するファンの回転速度の増加率を同じに制御することを特徴とする光ディスクライブラリー装置。
【請求項８】
請求項３乃至６のいずれかに記載の光ディスクライブラリー装置において、
前記冷却ファン切替え時に、前記冷却ファンの停止する冷却ファンの停止動作より起動するファンの起動動作を早くするようにしたことを特徴とする光ディスクライブラリー装置。
【請求項９】
請求項３乃至８のいずれかに記載の光ディスクライブラリー装置において、
前記制御回路基板の最も吐出した実装部品と前記冷却ファンの吸入側との距離をおおよそ前記冷却ファンの回転羽根の直径の１／４にしたことを特徴とする光ディスクライブラリー装置。
【発明の詳細な説明】
【技術分野】
【０００１】
本発明は、多数の光ディスクにデータを無停止で記録再生して長期間保存する、大容量で高信頼の光ディスクライブラリー装置に関する。
【背景技術】
【０００２】
このような大容量のライブラリー装置として特開２０００−３４８４７９号公報がある。特開２０００−３４８４７９号公報には、磁気ディスクユニットの温度に応じてファンの台数、回転速度を制御することが開示されている。
【０００３】
また、特開平４−２７５０９５号公報には、冷却ファンの故障時に他の冷却ファンの回転速度を上昇させる制御が開示されている。
【先行技術文献】
【特許文献】
【０００４】
【特許文献１】特開２０００−３４８４７９号公報
【特許文献２】特開平４−２７５０９５号公報
【発明の概要】
【発明が解決しようとする課題】
【０００５】
特開２０００−３４８４７９号公報に記載の磁気ディスクライブラリー装置は、装置筺体内の全てに外気を通過させている。そのため光ディスクライブラリー装置に応用する場合、光ディスクへの埃の付着と装置の小型化に課題がある。また、温度に応じてファンの台数、回転速度の制御を行っているが、冷却ファンの稼働時間を平準化していない。また、冷却ファンの取り換え間隔（メンテナンス）を長くする配慮がなされていない。
【０００６】
特開平４−２７５０９５号公報に記載の磁気ディスクライブラリー装置は、冷却ファンの故障時に他の冷却ファンの回転速度を上昇させるため騒音が大きくなる問題がある。
【０００７】
本発明の目的は、多数の光ディスクにデータを記録し長期間保存する大容量、高信頼の光ディスクライブラリー装置を提供することにある。
【課題を解決するための手段】
【０００８】
上記目的を達成するために本発明は、装置筺体内の光ディスク収納部に収納された複数の光ディスクと、前記光ディスクに情報を読み書きする記録再生装置と、前記光ディスクを前記光ディスク収納部から前記記録再生装置に搬送し、前記記録再生装置から前記光ディスク収納部に戻すディスク搬送機構と、前記光ディスクに書き込む情報と制御信号を外部から受信し前記記録再生装置と前記ディスク搬送機構を制御し、前記光ディスクから読み取った情報を外部に送信するための制御回路基板と、前記装置筺体内を冷却する冷却ファンからなる光ディスクライブラリー装置において、前記記録再生装置と前記制御回路基板は隔壁により前記光ディスク収納部と前記ディスク搬送機構と分離され密閉された冷却ダクト内に設置され、前記冷却ダクトの前記隔壁から前記記録再生装置の前記光ディスクの出入口部分が前記光ディスク収納部に吐出するように前記記録再生装置を設け、前記冷却ダクトに設けた外気吸入口と冷却ファンにより外気吸気口から外気を吸入し前記記録再生装置と前記制御回路基板を冷却したのち外部に排出するようにしたものである。
【０００９】
また上記目的を達成するために本発明は好ましくは、前記光ディスクと前記冷却ダクト内の前記記録再生装置と前記制御回路基板を立位に配置すると共に、前記制御回路基板と前記冷却ファンの回転面を対向して配置し、前記外気吸入口より吸入した外気を前記記録再生装置と前記制御回路基板で立位方向に流し、前記記録再生装置と前記制御回路基板を通過した空気を冷却ファンにより水平方向に吸引し外部に排出する構成にすると良い。
【００１０】
また上記目的を達成するために本発明は好ましくは、前記冷却ファンを複数設け、前記冷却ファンを一定時間ごとに順番に切替えて回転させるようにすると良い。
【００１１】
また上記目的を達成するために本発明は好ましくは、前記冷却ファンの回転を検出し回転していない故障したファンがある場合は前記故障したファンを除いた前記冷却ファンを一定時間ごとに順番に切替えて回転させるようにすると良い。
【００１２】
また上記目的を達成するために本発明は好ましくは、前記装置筺体内の温度を検出し、前記冷却ファンの回転させる台数と回転速度を前記装置筺体内の温度が高くなるにつれて増加するように制御するようにすると良い。
【００１３】
また上記目的を達成するために本発明は好ましくは、常時複数の前記冷却ファンを回転させると共に、一定時間ごとに切替える前記冷却ファンの数を１台にすると良い。
【００１４】
また上記目的を達成するために本発明は好ましくは、前記冷却ファン切替え時に、前記冷却ファンの停止する冷却ファンの停止動作と起動するファンの起動動作を同時に開始すると共に、前記冷却ファンの停止する冷却ファンの回転速度の減少率と、起動するファンの回転速度の増加率を同じに制御するようにすると良い。
【００１５】
また上記目的を達成するために本発明は好ましくは、前記冷却ファン切替え時に、前記冷却ファンの停止する冷却ファンの停止動作より起動するファンの起動動作を早くするようにすると良い。
【００１６】
また上記目的を達成するために本発明は好ましくは、前記制御回路基板の最も吐出した実装部品と前記冷却ファンの吸入側との距離をおおよそ前記冷却ファンの回転羽根の直径の１／４にすると良い。
【発明の効果】
【００１７】
本発明によれば、多数の光ディスクにデータを無停止で記録再生し長期間保存する大容量、高信頼の光ディスクライブラリー装置を提供できる。
【図面の簡単な説明】
【００１８】
【図１】本発明に係る光ディスクライブラリーの全体構成斜視図である。
【図２】図１の光ディスクライブラリー１を上から見た平面図である。
【図３】図２の光ディスクライブラリーをA−A’線断面図である。
【図４】図１の光ディスクライブラリーの制御ブロック図である。
【図５】本発明の一実施例に係るファン冷却方法を示す図である。
【図６】本発明の一実施例に係るファン冷却方法のファン交替運転例を示す図である。
【図７】本発明の一実施例に係るファン冷却方法のファン交替運転の他の例を示す図である。
【図８】本発明の一実施例に係るファン冷却方法のファン交替運転の他の例を示す図である。
【図９】本発明の一実施例に係るファン冷却方法のファン交替運転の他の例を示す図である。
【図１０】本発明のファンと壁との距離による風量変化を示すグラフ図である。
【発明を実施するための形態】
【００１９】
以下、本発明の詳細を図にしたがって説明する。
【実施例１】
【００２０】
本発明の光ディスクにデータを無停止で記録再生し長期間保存する大容量、高信頼の光ディスクライブラリー装置の一実施例を図１乃至図４を用いて説明する。
【００２１】
図１は光ディスクライブラリー装置１の全体構成を示す鳥瞰図である。  
但し、左右２系統ある右側系統（左側も同じ構成）の収納ラック１２ｂとファンユニット２５ｂと、カバー４０は光ディスクライブラリー装置１から取外した状態を示す。
【００２２】
図２は図１の光ディスクライブラリー装置１を上方から見た平面図と、リアパネル３９方向から見た側面図である。  
但し、冷却室ダクト１８a、１８ｂおよび貫通ダクト３７を透視した図を示す。また、記号（１）〜（８）はファン２６a〜２６ｈに付けた番号を示す。
【００２３】
図３は図２の光ディスクライブラリー装置１をAA’線で切断した断面図である。  
図４は本発明の左右２系統ある左側系統（右側も同じ構成）の制御ブロック図である。
【００２４】
図１〜図４において、図４に示す上位制御部１００と、光ディスクライブラリー装置１の制御回路部（制御回路基板とも呼ぶ）４aと、ドライブ３aと、ディスク運搬機構５と、ディスク収納部６と、キッカー９a、９ｂと、その駆動モータ１０２、１０３、１０４a、１０４ｂと、ファンユニット２５ａ（ファン２６a〜２６ｄ）と、各検出センサ１０５、１０６、１０７a、１０７ｂ、１０８a〜１０８ｄ、１０９aと、上位制御部１００と制御回路部４a間のデータ信号および制御信号１１０と、制御回路部４aと各モータおよびセンサ間の信号線１１２を示す。  
なお、左右２系統ある左側系統の制御回路部４aと右側系統の制御回路部４bとを連結する制御信号を設け、通常時および故障時のファン制御方法などを操作することもできる。
【００２５】
光ディスクライブラリー装置１の構成と動作を図１乃至図４を用いて説明する。  
光ディスクライブラリー装置１は同じ構成の記録再生ユニットが左右２系統あり、無停止に対応した冗長性を考慮した構成である。
【００２６】
図１に示すように多数の光ディスク２a、２bを収納するカートリッジ１０a、１０bと、光ディスク２a、２bにデータを記録再生する複数のドライブ３a、３bと、光ディスク２a、２bをディスク収納部６に取り込んでカートリッジ１０a、１０bとドライブ３a、３bに運搬するディスク搬送機構５と、リニアガイド８を介して取付けたディスク搬送機構５を移動するレール７と、光ディスク２a、２bの外周側面にレバーを接触させレバーの上端部を回転させて光ディスク２a、２bをディスク搬送機構５のディスク収納部６に押込むキッカー９a〜９dと、ドライブ３a、３bとディスク搬送機構５およびキッカー９a〜９dの制御および外部とのデータの通信機能を備えた制御回路部４a、４bと、ドライブ３a、３bと制御回路部４a、４bを取付けた収納ラック１２a、１２bと、床隔壁３１に設けられ収納ラック１２a、１２bを収納しドライブ３a、３bの光ディスクの出入口を設けた冷却室ダクト１８a、１８bと、外気吸入口３５a、３５b、３６a、３６bを設け冷却室ダクト１８a、１８bに外気を導くための床下ダクト３０a、３０bと、床下ダクト３０a、３０bを密閉するための床隔壁３１と、冷却室ダクト１８a、１８bを連結する貫通ダクト３７と、冷却室ダクト１８a、１８bを貫通ダクト３７に接合する隔壁３２と、貫通ダクト３７の隔壁となるリアパネル３９と、リアパネル３９に取付けられたファンユニット２５a、２５bと、ファンユニット２５a、２５bに取付けられたファン２６a〜２６hと、フロントパネル１５に設けたカートリッジ出入口１６a、１６b（カートリッジ１０a、１０bが挿入されると密閉される構造）と、カバー４０からなる。
【００２７】
ここでは１系統にドライブ６台を配置し並列動作によるデータの転送速度の向上と故障時の無停止に対応している。また、カートリッジは円筒形状で円筒内側に一定間隔に溝を設けこの溝に光ディスクを挿入し、光ディスクを出し入れする方向は解放した構造である。
【００２８】
ここでは光ディスクを２５０枚収納する。また、光ディスクの直径は１２０ｍｍ、厚さは１．２ｍｍ〜１．５ｍｍである。光ディスク２a、２bの収納ピッチは２〜３ｍｍが好適である。  
なお、ドライブの発熱量＜制御回路部の発熱量となりファンに近い方に発熱量の多い制御回路部を配置し冷却を向上させている。
【００２９】
また、ドライブはディスクを押込むと自動的に回転部にセットし、また、自動的にドライブからディスクを吐き出すロードアンロード機構を内蔵したスロットインタイプのドライブが好適である。
【００３０】
また、装置の幅は４５０ｍｍ以内、高さは１８０ｍｍ以内、長さは９８０ｍｍ以内である。  
また、レール７の両端は筺体に固定されており、ディスク搬送機構５はディスク搬送機構５に設けたナット（図示せず）とレール７の下側に設けたリードスクリュー（図示せず）の回転により移動する。
【００３１】
また、図１に示す収納ラック１２ｂの側面には空気口１３b、１４b（収納ラック１２aの空気口１３a、１４aは図示せず）を設けている。また、図３に示す収納ラック１２aの底板にある空気口には風量調節するために底板を曲げたルーバー３４a（収納ラック１２bのルーバー３４bは図示せず）を設けている。
【００３２】
風量調節はルーバー３４aの曲げ角度と長さを調節する。また、床下ダクト３０aと冷却室ダクト１８aおよび床下ダクト３０aと冷却室ダクト１８bはそれぞれ連結されている。さらに、冷却室ダクト１８aと１８bは貫通ダクト３７で連結されている。これらのダクトは密閉構造であって、外気吸入口３５a、３５b、３６a、３６bとファン２６a〜２６hで外気に接続されている。
【００３３】
図２、図３に示すようにファン２６a〜２６hにより床下ダクト３０a、３０bの外気吸入口３５a、３５b、３６a、３６bから吸引された外気は収納ラック１２a、１２bの空気口１３a、１４a、１３b、１４bを通過し上方向の流れ２１a、２１bとなってドライブ３a、３bと制御回路部４a、４bおよび制御回路部４a、４bのＬＳＩに取付けられたヒートシンク１９a、１９bを冷却し水平方向の流れ２２a、２２bとなってファン２６a〜２６hより排出される。
【００３４】
また、水平方向の流れ２２aの一部は流れ２３bとなって反対側のファン２６e〜２６hから排気される。
【００３５】
また、水平方向の流れ２２bの一部は流れ２３aとなって反対側のファン２６a〜２６dから排気される。
【００３６】
また、ファン２６a〜２６hの故障を図４のファンが回転又は停止しているかをファン回転検出センサ１０８a〜１０８ｈで検出しアラームを表示すると共にファンの台数と回転速度を制御し冷却性能を維持する。
【００３７】
このように本発明によれば、貫通ダクトを設けることにより２系統あるファンユニットの内、1系統のファンが故障した場合でも別系統のファンで冷却できる冗長性のある冷却システムを構築できる効果がある。
【００３８】
また、光ディスクと外気を取込んで冷却するドライブと制御回路部からなる冷却部とを密閉構造で分離することにより光ディスクに外気による埃の付着がないのでデータの信頼性、保存性を向上させる効果がある。
【００３９】
また、発熱量の多い制御回路部をファンの近くに配置しファンにより吸引した水平方向の外気の流れを冷却部で垂直方向の流れにして冷却したのち水平方向の流れで排気する構造によりドライブと制御回路部とファンを並列に配置できるので発熱量の多い制御回路部を効率よく冷却できると共に装置の小型化に効果がある。
【００４０】
次に、光ディスクをカートリッジからドライブに運搬する動作を図４で説明する。  
図４において、上位制御部１００から制御回路部４aが記録再生のデータ信号および指令信号１１０を受信すると、ディスク運搬機構駆動モータ１０２を駆動し光ディスク２aの収納ピッチに対応して設けられた位置信号（図示せず）をディスク運搬機構位置検出センサ１０６で検出しディスク運搬機構５を目標の光ディスク２aに位置決めする。次に、キッカー駆動モータ１０４a又は１０４bを駆動しキッカー９a又は９bのアームを光ディスク２aの外周側面に接触させてディスク収納部６に押込む。なお、キッカー９a又は９bの回転量はキッカー位置検出センサ１０７a、１０７bで検出する。
【００４１】
次に、ディスク収納モータ１０３を駆動し光ディスク２aの光ディスクを回転部に固定するためのクランプ穴１１（図１に示す）にロッドを挿入し光ディスク２aをディスク収納部６の内側に移動する。なお、光ディスク２aの位置はディスク収納位置検出センサ１０６で検出する。
【００４２】
次に、ディスク運搬機構駆動モータ１０２を駆動しドライブ３aの位置に対応して設けられた位置信号（図示せず）をディスク運搬機構位置検出センサ１０６で検出しディスク運搬機構５を目標のドライブ３aに位置決めする。
【００４３】
次に、ディスク収納モータ１０３を駆動し光ディスク２aのクランプ穴１１にロッドを挿入し光ディスク２aをドライブ３aのディスク出入口に挿入する。さらに、ディスク収納モータ１０３を駆動し光ディスク２aの外周側面にロッドを接触させて光ディスク２aをドライブ３aに押込む。次に、ドライブ３aで記録再生を実行する。
【００４４】
また、光ディスクをドライブからカートリッジに運搬する動作は上記の逆の動作となる。
【００４５】
このように本発明によれば、光ディスクを立位で運搬するディスク搬送機構の両側に立位に光ディスクとドライブと制御回路部を平行に配置したことで多数の光ディスクを高密度で収納できるので光ディスクライブラリー装置の小型化、大容量化に効果がある。
【実施例２】
【００４６】
図１の光ディスクライブラリー装置１のファン冷却運転の他の一実施例を図５、図６を用いて説明する。  
図５において、光ディスクライブラリー装置１はファン冷却が停止すると記録再生機能が停止するためファン冷却を停止させないシステム構築が必要である。図５は左側系統のファン冷却運転であって、装置内温度を装置内温度検出センサ１０９aで検出しファン（１）〜（４）のファン４台の台数と回転速度を制御するファン冷却運転を示す。装置内温度が３８℃以上の高温領域ではファン４台で回転速度を１００％の回転とする。
【００４７】
また、装置内温度が３４℃から３８℃の中温領域ではファン４台で回転速度を５０％の回転とする。また、装置内温度が３４℃以下の常温領域ではファン２台で回転速度を５０％の回転とし、さらに、ファン４台を２台ずつ一定時間ごとに交替で回転させる。
【００４８】
なお、ファンの回転速度を下げることは消費電力と騒音を低減する効果がある。つまり、高温領域の消費電力と騒音＞中温領域の消費電力と騒音＞常温領域の消費電力と騒音の関係となる。また、ファン台数を６台より増やす、又は、風量の大きいファンを用いることにより全温度領域で装置内温度が高くなるにしたがって、ファン交替運転のファンの台数と回転速度を増加する制御を行うこともできる。
【００４９】
したがって、ファン交替運転を行うことによってメンテナンス時期を延ばすことができるばかりでなく、全てのファンの寿命を平準化できるのでファン交換を一度にできる効果がある。なお、通常、光ディスクライブラリー装置１は空調された室内に設置され装置内温度が常温領域で使用されるのがほとんどであるので、このようなファン交替運転は省電力化、低騒音化に有効な手段である。さらに、ファンの交替運転時にファンが故障した場合、故障したファンを除いた故障していない残りのファンで交替運転を行い故障前と同じ冷却性能および騒音レベルを維持できる効果がある。
【００５０】
図６にファン（１）〜（４）を２台ずつ交替運転する一例を示す。
【００５１】
図６において、運転状態５０ではファン（１）（２）を回転させ、運転状態５１ではファン（２）（３）を回転させ、運転状態５２ではファン（３）（４）を回転させ、運転状態５３ではファン（４）（１）を回転させることを繰り返す。このように、ファンを１台ずつ切替えることで切替え時の風量の変動を低減できる効果がある。
【００５２】
また、右側系統においても装置内温度検出センサ１０９b（図示せず）を用いて、ファン（５）〜（８）を上記の図５、図６と同様なファン冷却運転を行うことができる。そして、上記と同様な効果が得られる。
【００５３】
また、左側系統の装置内温度検出センサ１０９aを用いて、ファン（１）〜（８）を上記の図５、図６と同様なファン冷却運転を行うことができる。同様に、右側系統の装置内温度検出センサ１０９ｂ（図示せず）を用いて、ファン（１）〜（８）を上記の図５、図６と同様なファン冷却運転を行うことができる。そして、上記の図５、図６と同様な効果が得られる。
【実施例３】
【００５４】
図５、図６のファン交替運転の他の一実施例を図７を用いて説明する。  
図７は左側系統のファン（１）〜（４）のファン交替運転であって、ファン（１）〜（４）のファン回転速度信号を符号５５〜５８で示す。また、ファン（１）〜（４）の風量を符号５９で示す。また、ファン（１）〜（４）の風量を加算した加算風量を符号６０で示す。ここではファンの切替え時６２において、ファン切替え時の風量変動がないように、停止するファンの回転速度の減少率と起動するファンの回転速度の増加率を同じにする。同様に、右側系統のファン（５）〜（８）においても上記と同様なファン交替運転を行うことができる。
【００５５】
このように本発明によれば、ファンの切替え時６２において、ファン（１）〜（４）の風量は符号６５〜６８のように同じ勾配で降下上昇するので加算したファン流量６０が変動しない効果がある。
【実施例４】
【００５６】
図５、図６のファン交替運転の他の一実施例を図８を用いて説明する。  
図８は左側系統のファン（１）〜（４）のファン交替運転であって、ファン（１）〜（４）のファンオンオフ信号を符号７５〜７８で示す。また、ファン（１）〜（４）の風量を符号７９で示す。また、ファン（１）〜（４）の風量を加算した加算風量を符号８０で示す。ここではファンの切替え時８２において、ファン切替え時の風量の変動と低下が起こらないように、オフ時間とオン時間のタイミングをオーバーラップさせる。すなわち、ファンの起動停止時の風量の過渡応答を考慮して、停止するファンのオフのタイミングよりも起動するファンのオンのタイミングを早くする。同様に、右側系統のファン（５）〜（８）においても上記と同様なファン交替運転を行うことができる。
【００５７】
このように本発明によれば、ファンの切替え時８２において、ファン（１）〜（４）の風量は符号６５〜６８のように変化し加算したファン流量８０の風量の変動が小さく定常風量より低下させない効果がある。
【実施例５】
【００５８】
図５、図６のファン交替運転の他の一実施例を図９、図１０を用いて説明するが、図２と同じ符号は説明を省略する。  
図９において、ファン交替運転時に停止しているファンより外気２４a、２４bを吸入しファンの近傍にある発熱体である制御回路部４a、４bのヒートシンク１９a、１９bを効率よく冷却するためのファンとヒートシンク１９a、１９bとの距離２８の構成を示す。なお、ヒートシンク１９a、１９bを効率よく冷却するためにはファンをヒートシンク１９a、１９bにできるだけ近づけることが必要である。
【００５９】
しかしながら、図１０に示すように、ファンに吸込まれる風量９０はファン９３と壁９１との距離９２が一定値以下になると風量が低下する問題がある。したがつて、距離２８は図１０に示す風量９０の低下が始まる時点（符号９４）および近傍が好適である。なお、図１０に示すように、ファン吸入面積をA、ファンと壁との間の円柱の側面面積をBとした場合、A＝Bが距離Lの好適値であって、距離L＝（ファンの羽根の直径d）／４となる。
【００６０】
このように本発明によれば、ファンとヒートシンク（制御回路部の最も吐出した実装部品）との距離をファンの直径の１／４にすることで、ファン交替運転時に停止しているファンから外気を吸引し効率よくヒートシンクを冷却できる効果がある。
【符号の説明】
【００６１】
１…光ディスクライブラリー、２a、２b…光ディスク、３a、３b…ドライブ、４a、４b…制御回路部、５…ディスク運搬機構、６…ディスク収納部、７…レール、８…リニア軸受け、９a〜９d…キッカー、１０a、１０b…カートリッジ、１１…クランプ穴、１２a、１２b…収納ラック、１３a、１３b…空気口、１４a、１４b…空気口、１５…フロントパネル、１６a、１６b…カートリッジ出入口、１８a、１８b…冷却室ダクト、１９a、１９b…ヒートシンク、２５a、２５b…ファンユニット、２６a〜２６h…ファン、３０a、３０b…吸入ダクト、３１…床隔壁、３２…隔壁、３４a、３４b…ルーバー、３５a、３５b…外気吸入口、３６a、３６b…外気吸入口、３７…貫通口、３９…リアパネル、４０…カバー。
【図１】
2013114717.tif 000003
【図２】
2013114717.tif 000004
【図３】
2013114717.tif 000005
【図４】
2013114717.tif 000006
【図５】
2013114717.tif 000007
【図６】
2013114717.tif 000008
【図７】
2013114717.tif 000009
【図８】
2013114717.tif 000010
【図９】
2013114717.tif 000011
【図１０】
2013114717.tif 000012